(57)【特許請求の範囲】
【請求項１】
床部の端部に立上壁が立設された防水床と、前記床部に設置される浴槽とを備える浴室構造であって、前記立上壁及び前記浴槽の各々に水平方向に突出した凸条の支持部を設け、対向する支持部間に移乗用板の凹溝をスライド嵌合させて着脱自在に設置することを特徴とする浴室構造。
【請求項２】
前記浴槽は、下方に開口する凹部が外周部に形成された浴槽本体と、該凹部に挿入する挿入部を有し前記浴槽本体に固定されるエプロンとを備え、前記浴槽側の支持部は、前記挿入部に隣接して前記エプロンに形成されていることを特徴とする請求項１記載の浴室構造。
【請求項３】
前記防水床は両側と奥行部の３面に立上壁が立設され、該３面の立上壁に連続して前記支持部が形成され、前記浴槽は少なくとも両側部に前記凹部が形成されていることを特徴とする請求項２記載の浴室構造。
【請求項４】
前記移乗用板の前記スライド嵌合方向の奥側端面には、上面と面一に突出する凸部が形成され、前記立上壁の凸状の支持部の上面に前記凸部が設置されることを特徴とする請求項１乃至３のいずれか一項に記載の浴室構造。
【請求項５】
前記防水床は両側と奥行部の３面に立上壁が立設され、該３面の立上壁に連続して前記支持部が形成され、前記両側の立上壁に設けられた支持部のいずれか一方と浴槽側の支持部とに前記移乗用板が設置されていることを特徴とする請求項１乃至４のいずれか一項に記載の浴室構造。
【請求項６】
前記浴槽は、浴槽本体と、前記浴槽本体の一側面に固定されるとともに浴槽側の支持部が形成されたエプロンとを備え、さらに、浴槽本体の他側面が、前記立上壁の他方に対接して配置されていることを特徴とする請求項５記載の浴室構造。
【発明の詳細な説明】
【０００１】
【発明の属する技術分野】
本発明は、防水床と浴槽とを備える浴室構造に係り、特に、高齢者や身体に障害を有する人が好適に使用することができる浴室構造に関する。
【０００２】
【従来の技術】
従来、この種の浴室として、実用新案登録公報第２５６４３２７号公報に記載の浴室がある。この公報に記載の浴室は、浴槽に隣接して移乗台を備え、浴槽の一側とこれに相対する室壁との間に配設スペースを形成し、配設スペース内に移乗台を配備すると共に、室壁には移乗台の上方に突出する使用位置と、室壁に設けた凹部に収容されて室壁内に埋没する未使用位置との間を回動自在に配設される水栓を設置してなるものである。また、浴槽の他側に隣接して立ち上がる室壁に沿って、移乗台と相対するカウンターを設け、洗い場面におけるカウンター手前側を通常の使用スペースとする一方、洗い場面における移乗台周辺を、非健常者等の使用スペースとするものである。
【０００３】
【発明が解決しようとする課題】
ところで、前記構造の浴室は、移乗台は比較的大型に形成され主として浴槽への出入り用として使用する移乗台部と、これより一回り小さく形成され主として洗い座として使用する座部とからなり、両者ともに方形状の天板四角に固定脚若しくは移動脚を垂設して形成されている。このため、使用者が天板の端に座ったとき等、移乗台が持ち上がってしまう虞があった。また、天板四角に４本の脚部を設けており、構成が複雑になりコストの増大を招いていた。
【０００４】
本発明は、このような問題に鑑みてなされたものであって、その目的とするところは、簡単な構成で移乗台となる移乗用板を安定して設置でき、高齢者や身障者等が安心して使用することができ、コストダウンを達成できる浴室構造を提供することにある。
【０００５】
【課題を解決するための手段】
前記目的を達成すべく、本発明に係る浴室構造は、床部の端部に立上壁が立設された防水床と、前記床部に設置される浴槽とを備える浴室構造であって、前記立上壁及び前記浴槽の各々に水平方向に突出した凸条の支持部を設け、対向する支持部間に移乗用板の凹溝をスライド嵌合させて着脱自在に設置することを特徴とする。
【０００６】
また、本発明に係る浴室構造の好ましい具体的な態様としては、前記浴槽は、下方に開口する凹部が外周部に形成された浴槽本体と、該凹部に挿入する挿入部を有し前記浴槽本体に固定されるエプロンとを備え、前記浴槽側の支持部は、前記挿入部に隣接して前記エプロンに形成されていることを特徴としている。
【０００８】
さらに、本発明に係る浴室構造において、前記移乗用板は、前記支持部に着脱自在となす嵌合状態で取り付けられていることが好ましい。
前記防水床は両側と奥行部の３面に立上壁が立設され、該３面の立上壁に連続して前記支持部が形成され、前記両側の立上壁に設けられた支持部のいずれか一方と浴槽側の支持部とに前記移乗用板が設置されていることが好ましい。
前記浴槽は、浴槽本体と、前記浴槽本体の一側面に固定されるとともに浴槽側の支持部が形成されたエプロンとを備え、さらに、浴槽本体の他側面が、前記立上壁の他方に対接して配置されていることが好ましい。
【０００９】
このように構成された本発明の浴室構造は、立上壁と浴槽に設けた支持部に移乗用板を設置するという簡単な構成により、移乗用板を安定して設置固定することができ、身障者等が安心して腰掛けて身体を洗うことができ、この移乗用板を利用して入浴も容易に行える。浴槽本体にエプロンを固定し、このエプロンに支持部を形成して移乗用板の一方を浴槽に設置すると、簡単な構成で浴槽と立上壁に安定して移乗用板を設置できる。また、エプロンは浴槽本体の凹部に挿入して固定でき、浴槽本体への固定が容易に行える。浴槽の両側の凹部に選択的にエプロンを挿入できるため、浴槽の両側の一方側を選択して移乗用板を固定できる。さらに移乗用板と浴槽のリブの厚さが略等しいので段差ができず、浴槽への入浴が滑らかに行える。
【００１０】
上記のように構成された本発明の浴室構造において、前記移乗用板を、前記支持部に着脱自在となす嵌合状態で取り付けるようにすると、移乗用板の不要時に簡単に取り外すことができ、移乗用板下方の清掃等が容易に行える。
また、前記防水床の両側と奥行部の３面に立上壁を立設し、該３面の立上壁に連続して前記支持部を形成し、前記両側の立上壁に設けられた支持部のいずれか一方と浴槽側の支持部とに前記移乗用板を嵌入して設置するようにすると、左マヒ、右マヒのいずれであっても、入浴する人の利用し易い側を選択して移乗板を設置でき、洗体や入浴を容易に行える。
また、前記浴槽は、浴槽本体と、前記浴槽本体の一側面に固定されるとともに浴槽側の支持部が形成されたエプロンとを備え、さらに、浴槽本体の他側面を前記立上壁の他方に対接して配置すると、簡単な構成で浴槽と立上壁に安定して移乗板を設置できる。
【００１１】
【発明の実施の形態】
以下、本発明に係る浴室構造の一実施形態を図面に基づき詳細に説明する。図１は、本実施形態に係る浴室構造の斜視図、図２は、図１のＡ−Ａ線断面図、図３は、図１のＢ−Ｂ線断面図である。図１〜３において、防水床１は、平面形状が長方形状の浴槽配置床２ａと洗い場床２ｂとを備える床部２と、床部２の浴槽配置床２ａから立設した立上壁３、４、５とを備えている。この例では、立上壁３、４、５は浴槽配置床２ａの洗い場床２ｂと面する面以外の３面から鉛直方向に立設されている。すなわち、立上壁３、４、５は、洗い場床２ｂから見ると両側と奥行部の３面に立設されている。
【００１２】
浴槽配置床２ａは洗い場床２ｂより床面が低く設定され、洗い場からの水が浴槽配置床２ａに流れるように構成されている。防水床１は浴槽１０が配置され浴槽内の水を支持すると共に人が入浴するため、所定の強度を有するＦＲＰ（繊維強化プラスチック）等で形成されている。洗い場床２ｂの床面は、浴槽配置床２ａの方向に水が流れるように勾配がつけてあり、洗い場床２ｂの浴槽配置床２ａの近傍には排水溝６が形成されている。排水溝６の排水口と、浴槽配置床２ａの排水口（共に図示せず）は、合流されて排水管に接続される。
【００１３】
洗い場床２ｂにも浴槽配置床２ａと対向する面以外の３面に、高さの低い壁部７が立設され、防水性能を向上させている。浴室へ入室するドア（図示せず）は、この低い壁部７の上部に設置される。立上壁３、４、５は上部に２段の水平面で構成される壁パネル載置部と支持部が形成され、上方の壁パネル載置部３ａ、４ａ、５ａと下方の支持部３ｂ、４ｂ、５ｂが形成され、両者は水平面で連続している。壁部７は上部に１段の水平面で連続して構成される壁パネル載置部７ａが形成されている。立上壁の上方の壁パネル載置部３ａ、４ａ、５ａと、壁部７の壁パネル載置部７ａは図示していない壁パネルや浴室ドアの載置面とされる。下方の支持部３ｂ、４ｂ、５ｂは、浴槽１０と共に、後述する移乗用板２０を設置するものであり、水平方向の幅がｗに設定されている。
【００１４】
ここで、浴槽配置床２ａに配置される浴槽１０について、図４を参照して説明する。浴槽１０は浴槽本体１１と、浴槽本体の前面に固定されるフロントエプロン１２と、浴槽本体の左右両側側面に固定されるサイドエプロン１３とから構成される。浴槽本体１１はＦＲＰ等で形成され、水を入れる湯船１１ａと、湯船の周縁に水平方向に延出された水平状の框１１ｂと、框から垂下するリブ１１ｃとから構成され、リブ１１ｃの内側には下方に開口する凹部１１ｄ（図２参照）が形成されている。
【００１５】
フロントエプロン１２は平板状のプラスチック板材から形成され、上部の１辺には浴槽本体１１のリブ１１ｃの厚さと略等しい段差部が形成され、この段差部により形成された挿入部１２ａがリブ１１ｃの内側の凹部１１ｄに挿入する構成となっている。このため、浴槽本体１１の凹部１１ｄにフロントエプロン１２の挿入部１２ａを挿入して固定すると、浴槽１０の前面のリブ１１ｃとフロントエプロン１２の前面は面一となるように構成されている。
【００１６】
サイドエプロン１３の横幅は、浴槽本体１１の奥行からフロントエプロン１２の厚さと、立上壁４の２段目の支持部４ｂの幅ｗを引いた幅に設定されており、正面から見たときフロントエプロン１２の後方にサイドエプロン１３が位置してサイドエプロンの厚さが見えないフロントエプロンがちとなっている。そして、サイドエプロン１３はフロントエプロン１２より肉厚の大きい平板状のプラスチック板材から形成され、上部の１辺にはリブ１１ｃの厚さより大きい段差部が形成され、この段差部により形成された挿入部１３ａが、浴槽本体１１の全周に形成されたリブの内側の凹部１１ｄに挿入する構成となっている。
【００１７】
このため、浴槽本体１１の凹部１１ｄにサイドエプロン１３の挿入部１３ａを挿入すると、リブ１１ｃの外面に対しサイドエプロン１３の側面は側方に突出し、挿入部１３ａに隣接して水平な支持部１３ｂが形成される。この段差により形成された支持部１３ｂは、立上壁３、４の２段目の支持部３ｂ、４ｂと同じ高さに設定されている。本実施の形態の浴槽１０は、浴槽本体１１の前方にフロントエプロン１２を固定し、一方の側にサイドエプロン１３を固定して構成される。このように浴槽１０は、浴槽本体１１とフロントエプロン１２、サイドエプロン１３とから構成され、支持部（段差部）を必要に応じて一方の側に設けることができ、浴槽１０に対して移乗用板２０は、必要に応じて左右どちらの側にも載置固定することができる。
【００１８】
移乗用板２０は平面形状が長方形状で、ＡＢＳ等のプラスチック板で形成され、複数の水抜き用の貫通孔２１が穿設されている。移乗用板２０の厚さｔは、浴槽本体１１の全周に形成したリブ１１ｃの垂直方向の高さｈと略等しく設定されている。移乗用板２０は、図示の例では前面端部が開放状態であり、左側面端部及び奥側の端部は立上壁３、４の２段目の支持部３ｂ、４ｂに設置され、右側面端部はサイドエプロン１３の段差により形成された支持部１３ｂに設置される。そして、移乗用板２０は設置された状態を保持するように、Ｌ字金具２５と固定ねじ２６により立上壁３とサイドエプロン１３に固定され、台として機能する。
【００１９】
浴槽配置床２ａの奥側の下方角部には、床面から所定距離上昇した規制面２ｃが一体的に形成され、規制面２ｃのサイドエプロン１３と対向する位置に位置決め凹部２ｄが形成されている。この位置決め凹部２ｄの幅はサイドエプロン１３の下方の厚さと一致している。サイドエプロン１３は上部が浴槽本体１１のリブ１１ｃの内側の凹部１１ｄに挿入され、下方が位置決め凹部２ｄにより規制されて安定状態となる。
【００２０】
前記の如く構成された本実施形態の浴室構造の動作について以下に説明する。浴槽本体１１の前方のリブ１１ｃにより形成された凹部１１ｄに、フロントエプロン１２の上部の挿入部１２ａを挿入して固定する。また浴槽本体１１の左方のリブ１１ｃにより形成された凹部１１ｄに、サイドエプロン１３の上部の挿入部１３ａを挿入して固定する。フロントエプロン１２の前面と浴槽本体１１のリブ１１ｃの前面は面一となるが、サイドエプロン１３の側面はリブ１１ｃから突出して水平の支持部１３ｂが形成される。これにより浴槽１０は、浴槽本体１１にフロントエプロン１２とサイドエプロン１３を固定されて一体化する。
【００２１】
この浴槽１０を防水床１に配置固定する。浴槽１０は洗い場床２ｂより１段低い浴槽配置床２ａに落とし込まれて配置され、このときサイドエプロン１３の奥側の下端部が位置決め凹部２ｄに挿入するように配置する。浴槽１０の右面はサイドエプロン１３が無い状態で立上壁５に対接する。このとき、右側の支持部の上に右側の框１１ｂが位置するようになされている。一方、浴槽１０の左側面と左の立上壁３との間は空間となる。この空間部分に移乗用板２０を設置して固定する。移乗用板２０は左の端部と奥側の端部が、防水床１の立上壁３、４に形成した下方の支持部３ｂ、４ｂに設置され、右の端部がサイドエプロン１３の支持部１３ｂに設置されて安定し、Ｌ字金具２５と固定ねじ２６より固定されて安定状態が保持される。
【００２２】
移乗用板２０は、主として高齢者や身障者が浴槽への出入りの際に使用するもので、身体を洗う際には腰掛けて利用するものである。また浴槽１０に身障者を入浴させるときに、介助者が身障者を移乗用板２０に一旦腰掛けさせ、その後身障者の向きを変えて脚を浴槽１０内に入れて、徐々に身体全体を浴槽１０に入れることができる。移乗用板２０は３辺が支持部３ｂ、４ｂと支持部１３ｂに載置した状態でＬ字金具２５と固定ねじ２６より固定され、身障者や高齢者を腰掛けさせ、浴槽に出入りさせても固定状態が安定しており、不安を感じることが無い。移乗用板２０と浴槽１０とは段差ができず滑らかに入浴できる。
【００２３】
移乗用板２０は板材のみで形成され、脚部等が無く構成が簡単であり、また立上壁と一体の支持部３ｂ、４ｂや浴槽に形成された支持部１３ｂは構成が簡単であり、移乗用板２０は３辺が水平に支持されて設置状態が安定し、Ｌ字金具２５と固定ねじ２６で固定されて安定状態が保持される。また、Ｌ字金具２５と固定ねじ２６を外すことにより移乗用板２０を容易に取り外すことができ、清掃も容易にできる。移乗用板２０は複数の貫通孔２１が穿設され、入浴中に水がかかっても排水され、腰掛け中や洗っているときにも、滑って不安定になることが回避できる。
【００２４】
なお、図示の実施の形態では、浴槽１０は右側の立上壁５に対接した状態で配置されており、この場合は浴槽本体１１に対しサイドエプロン１３は左側に固定しているが、反対に浴槽１０を左側の立上壁３に対接して配置するときは、サイドエプロン１３は右側に固定し、右側の空間に移乗用板２０を設置する。浴槽配置床２ａに形成された位置決め凹部２ｄは、浴槽１０を図示のように右側に配置する場合と、左側に配置する場合とを考慮して、２個所に形成しておくと好適である。
【００２５】
移乗用板２０を固定するＬ字金具２５と固定ねじ２６は、前方の２個所で固定する例を示したが、奥側の立上壁４を含めて３個所で固定するようにするとさらに固定状態が安定し、両側の２個所ずつ合計４個所固定するようにしても良い。
【００２６】
つぎに、本発明に係る浴室構造の別の実施形態を図面に基づき詳細に説明する。図５は本実施形態に係る浴室構造の斜視図、図６は図５のＡ−Ａ線断面図、図７は図５のＢ−Ｂ線断面図、図８（イ）図は移乗用板の斜視図、（ロ）図は（イ）図のＡ−Ａ線断面図、（ハ）図は（イ）図のＢ−Ｂ線断面図である。
以下の実施の形態を説明する図面において、前記実施の形態と本質的に同じものには同符号を付けて説明を省略し、異なるものだけ別符号を付けて説明する。
【００２７】
本実施形態の防水床１の浴槽配置床２ａから立設された立上壁３、４、５の上部に、２段の水平面から構成される壁パネル載置部と支持部が形成され、上方に水平面で構成される壁パネル載置部３ａ、４ａ、５ａが連続して形成され、これら壁パネル載置部３ａ、４ａ、５ａの夫々の下方に、浴室の内側に向けて水平方向に突出した凸条の支持部３ｃ、４ｃ、５ｃが同じ高さ位置に連続して形成されている。
立上壁３、４、５の上部の壁パネル載置部３ａ、４ａ、５ａは、前記実施の形態と同様、浴室を構成する壁パネルの載置面とされる。壁パネル載置部３ａ、４ａ、５ａより下方の凸条の支持部３ｃ、４ｃ、５ｃは、後述する移乗用板３０を設置するものである。
【００２８】
ここで、浴槽配置床２ａに配置される浴槽１０について、図９を参照して説明する。浴槽１０は、前記実施形態と同様、浴槽本体１１と、浴槽本体の前面に固定されるフロントエプロン１２と、浴槽本体の側面に固定されるサイドエプロン１３とから構成される。
【００２９】
本実施形態のサイドエプロン１３は、前記実施形態のものと本質的に同じであるが、上辺に形成された挿入部１３ａの下方に、外面から水平方向に突出した凸条の支持部１３ｃが形成されている点が、前記実施の形態と異なっている。
挿入部１３ａが、浴槽本体１１の全周に形成されたリブ１１ｃの内側の凹部１１ｄに挿入されると、サイドエプロン１３の外面はリブ１１ｃの外面と略面一になされるのに対し、凸条の支持部１３ｃはリブ１１ｃの外面より突出する（図６参照）。
上記支持部１３ｃは、立上壁３、４、５の支持部３ｃ、４ｃ、５ｃと同じ高さ位置に設定されている。さらに、支持部１３ｃと支持部３ｃ、５ｃは、それぞれ平行になされている。
【００３０】
サイドエプロン１３は、図９に示すように、奥側に向かって左側の立上壁３と相対向する側の浴槽本体１１に固定されるが、これと反対側にも固定できる。
浴槽本体１１を右側の立上壁５に対接して配置したとき、左側の立上壁３とサイドエプロン１３との間には空間部が形成され、この空間部に後述する移乗板３０が設置される。
【００３１】
本実施形態の移乗用板３０は、図８に示すように、平面形状が長方形の板状体で、移乗用板３０は、長辺側の左端面と右端面にそれぞれ凹溝３２が形成され、奥側端面には上面と面一に突出する凸部３３が形成されている。凸部３３と凹溝３２の上側のフランジ部の厚みは、浴槽本体のリブ１１ｃの厚みに等しくなされている。
【００３２】
対向する平行な支持部１３ｃ、３ｃに移乗用板３０がスライド嵌合される。この際、移乗用板３０左端面の凹溝３２には、立上壁３の凸条の支持部３ｃが嵌入され、右端面の凹溝３２には、サイドエプロン１３の凸条の支持部１３ｃが嵌入される。また、奥側端面の凸部３３は、奥側の立上壁４の凸条の支持部４ｃの上面に設置される（図６、図７参照）。
上記左端面の凹溝３２と右端面の凹溝３２は、それぞれ、立上壁３の凸条の支持部３ｃと、およびサイドエプロン１３の凸条の支持部１３ｃとの間に隙間を形成することにより、移乗用板３０を着脱自在にしている。
【００３３】
上記の如く構成された本実施形態の浴室構造の動作について以下に説明する。浴槽１０を防水床１に配置固定する。このとき浴槽本体１１の右面はサイドエプロン１３が無い状態で立上壁５に対接し、浴槽１０の左側面と左の立上壁３との間は空間となる。この空間部分に移乗用板３０を設置する。
移乗用板３０を設置する際、支持部３ｃ、１３ｃのそれぞれと移乗用板３０の左右の端面とを、移乗用板３０を着脱自在となす嵌合状態で接合するようにしたので、移乗用板３０の不要時に簡単に取り外すことができ、移乗用板３０の下方の清掃等が容易である。
【００３４】
移乗用板３０は、前記実施形態と同様、主として高齢者や身障者が浴槽への出入りの際に使用され、身体を洗う際には腰掛けて利用するものである。また浴槽１０に身障者を入浴させるときに、介助者が身障者を移乗用板２０に一旦腰掛けさせ、その後身障者の向きを変えて脚を浴槽１０内に入れて、徐々に身体全体を浴槽１０に入れることができる。移乗用板３０は嵌合状態で設置され、身障者や高齢者を腰掛けさせ、浴槽に出入りさせても設置状態が安定しており、不安を感じることが無い。
また、移乗用板３０の上面は、浴槽本体１１の框１１ｂの上面と面一に設置されるので、移乗用板３０と浴槽１０とは段差ができず滑らかに入浴できる。
【００３５】
移乗用板３０は板材のみで形成され、脚部等が無く構成が簡単であり、また立上壁と一体の支持部３ｃ、４ｃや浴槽に形成された支持部１３ｃは構成が簡単であり、移乗用板３０は３辺が水平に支持されて設置状態が安定する。
【００３６】
上記本実施の形態に示した浴室構造では、立上壁３、４、５を両側と奥行部の３面に立設し、左右両側の立上壁３、５のいずれか一方、ここでは左側の立上壁３及び浴槽１０の各々に設けた支持部３ｃ、１３ｃ間に移乗板３０を設置したものであった（図５参照）。
しかしながら、本実施の形態の浴室構造は、図１０に示すように、他方、すなわち右側の立上壁５を選択すれば、この右側の立上壁５及び浴槽１０の各々に設けた支持部５ｃ、１３ｃ間に移乗板３０を設置することができる。
【００３７】
すなわち、選択した右側の立上壁５と相対向させてサイドエプロン１３を浴槽本体１１の右側に固定し、この浴槽本体１１をサイドエプロン１３が無い状態で左側の立上壁３に対接して配置すると、サイドエプロン１３と立上壁５との間に右側空間が形成される。
そこで、移乗用板３０を右側空間に挿入し、立上壁５及びサイドエプロン１３の各々に設けた凸条の支持部５ｃ、１３ｃを移乗板３０の左右両側の凹溝３２、３２に挿入するようにして移乗板３０を設置すれば、移乗板３０を浴槽１０の右側空間に嵌合状態で設置できる。
【００３８】
浴槽本体１１が左右対称の場合は、左右反転させてもよいし、左側に固定したサイドエプロン１３を一旦取り外してから浴槽本体１１を左側方向にスライドし、左側の立上壁３に対接してから取り外したサイドエプロン１３を浴槽本体１１の右側に固定するようにしてもよい。
浴槽本体１１が左右非対称の場合は、サイドエプロン１３を取り外さないで左右反転させてから、浴槽本体１１を左側の立上壁３に対接すればよい。
【００３９】
本実施の形態の浴室構造によると、両側の立上壁３、５のいずれか一方を選択し、選択した一方の立上壁３（または他方の立上壁５）及び浴槽１０の各々に設けた支持部３ｃ、１３ｃ（立上壁５を選択したときは支持部５ｃ、１３ｃ）間に移乗板３０を設置可能にしたことにより、左マヒ、右マヒのいずれであっても、入浴する人の利用し易い側に移乗板３０を設置でき、洗体や入浴を容易に行える。
【００４０】
【発明の効果】
以上の説明から理解できるように、本発明の浴室構造は、簡単な構成で移乗用板を取付けることができ、しかも設置状態が安定しており高齢者や身障者が安心して腰掛けることができ、入浴することができる。また、エプロンは浴槽に容易に挿入固定でき、浴槽側の支持部は挿入部に隣接して形成され構成が簡単となる。さらに、浴槽の両側の一方側を選択して移乗用板を固定でき、使用者の好みにも対応できる。移乗用板は浴槽と段差ができず、入浴がしやすい等の効果を奏する。
【図面の簡単な説明】
【図１】本発明に係る浴室構造の一実施形態の斜視図。
【図２】図１のＡ−Ａ線断面図。
【図３】図１のＢ−Ｂ線断面図。
【図４】本発明に係る浴室構造に使用する浴槽の分解斜視図。
【図５】本発明に係る浴室構造の別の実施形態の斜視図。
【図６】図５のＡ−Ａ線断面図。
【図７】図５のＢ−Ｂ線断面図。
【図８】（イ）図は図５の浴室構造に使用する移乗板の斜視図、（ロ）図は（イ）図のＡ−Ａ線断面図、（ハ）図は（イ）図のＢ−Ｂ線断面図。
【図９】図５の浴室構造に使用する浴槽の分解斜視図。
【図１０】図５の左右反対側に移乗用板を設置したときの浴室構造の斜視図。
【符号の説明】
１  防水床、  ２  床部、  ２ａ  浴槽配置床、  ２ｂ  洗い場床、
３、４、５  立上壁、  ３ｂ、４ｂ、５ｂ、３ｃ、４ｃ、５ｃ  支持部、
１０  浴槽、
１１  浴槽本体、  １１ａ  湯船、  １１ｂ  框、  １１ｃ  リブ、
１１ｄ  凹部、  １２  フロントエプロン、  １２ａ  挿入部、
１３  サイドエプロン、  １３ａ  挿入部、  １３ｂ、１３ｃ  支持部、
２０、３０  移乗用板、  ２１、３１  貫通孔、
２５  Ｌ字金具、  ２６  固定ねじ
【図１】
0004102049.tif 000002
【図２】
0004102049.tif 000003
【図３】
0004102049.tif 000004
【図４】
0004102049.tif 000005
【図５】
0004102049.tif 000006
【図６】
0004102049.tif 000007
【図７】
0004102049.tif 000008
【図８】
0004102049.tif 000009
【図９】
0004102049.tif 000010
【図１０】
0004102049.tif 000011